(57)【要約】【課題】  ＰＣを介さないダイレクトプリントでは大きなディスプレイを確保するのが困難なため、自動補正の補正結果を補正前後の画像をプレビューとして表示することが難しい。本発明はダイレクトプリントでも自動補正の結果をユーザに明快に伝えることを課題とする。【解決手段】  画像データ入力工程と該画像を自動補正する工程と該自動補正された画像を印刷する工程を有し、印刷装置または撮影装置に接続もしくは装備されている表示画面に該自動補正の効果を計算した数値を反映させた表示方法で該自動補正の効果を表示する。【選択図】  図１
2009038583.tif 000002
【特許請求の範囲】
【請求項１】
画像データ入力工程と該画像を自動補正する工程と該自動補正された画像を印刷する工程を有し、印刷装置または撮影装置に接続もしくは装備されている表示画面に該自動補正の効果を計算した数値を反映させた表示方法で該自動補正の効果を表示することを特徴とする画像補正効果表示方法。
【請求項２】
画像データ入力工程と該画像を自動補正する工程と該自動補正された画像を印刷する工程を有し、該自動補正の効果を印刷装置または撮影装置に接続もしくは装備されている表示画面に数値で表示することを特徴とする請求項1記載の画像補正効果表示方法。
【請求項３】
画像データ入力工程と該画像を自動補正する工程と該自動補正された画像を印刷する工程を有し、該自動補正の効果を印刷装置または撮影装置に接続もしくは装備されている表示画面にグラフで表示することを特徴とする請求項1記載の画像補正効果表示方法。
【請求項４】
画像データ入力工程と該画像を自動補正する工程と該自動補正された画像を印刷する工程を有し、該自動補正の効果を印刷装置または撮影装置に接続もしくは装備されている表示画面にレベル数で表示することを特徴とする請求項1記載の画像補正効果表示方法。
【請求項５】
請求項1の数値の計算方法が、該画像のRGBに関する数値、あるいは輝度もしくは明度および色差もしくは色相に関する数値を用いた計算であることを特徴とする請求項1記載の画像補正効果表示方法。
【請求項６】
前記数値の計算方法が、該画像のRGBに関する数値、あるいは輝度もしくは明度および色差もしくは色相に関する数値を用いた計算であることを特徴とする請求項2記載の画像補正効果表示方法。
【請求項７】
前記グラフの計算方法が、該画像のRGBに関する数値、あるいは輝度もしくは明度および色差もしくは色相に関する数値を用いた計算であることを特徴とする請求項3記載の画像補正効果表示方法。
【請求項８】
前記レベル数について、補正効果レベルに振り分ける方法が、該画像のRGBに関する数値、あるいは輝度もしくは明度および色差もしくは色相に関する計算値を用いたレベル分けであることを特徴とする請求項4記載の画像補正効果表示方法。
【請求項９】
画像データ入力手段と該画像を自動補正する手段と該自動補正された画像を印刷する手段を有し、印刷装置または撮影装置に接続もしくは装備されている表示画面に該自動補正の効果を計算した数値を反映させた表示方法で該自動補正の効果を表示することを特徴とする画像補正効果表示装置。
【請求項１０】
画像データ入力手段と該画像を自動補正する手段と該自動補正された画像を印刷する手段を有し、該自動補正の効果を印刷装置または撮影装置に接続もしくは装備されている表示画面に数値で表示することを特徴とする請求項9記載の画像補正効果表示装置。
【請求項１１】
画像データ入力手段と該画像を自動補正する手段と該自動補正された画像を印刷する手段を有し、該自動補正の効果を印刷装置または撮影装置に接続もしくは装備されている表示画面にグラフで表示することを特徴とする請求項9記載の画像補正効果表示装置。
【請求項１２】
画像データ入力手段と該画像を自動補正する手段と該自動補正された画像を印刷する手段を有し、該自動補正の効果を印刷装置または撮影装置に接続もしくは装備されている表示画面にレベル数で表示することを特徴とする請求項9記載の画像補正効果表示装置。
【請求項１３】
前記数値の計算方法が、該画像のRGBに関する数値、あるいは輝度もしくは明度および色差もしくは色相に関する数値を用いた計算であることを特徴とする請求項9記載の画像補正効果表示装置。
【請求項１４】
前記数値の計算方法が、該画像のRGBに関する数値、あるいは輝度もしくは明度および色差もしくは色相に関する数値を用いた計算であることを特徴とする請求項10記載の画像補正効果表示装置。
【請求項１５】
前記グラフの計算方法が、該画像のRGBに関する数値、あるいは輝度もしくは明度および色差もしくは色相に関する数値を用いた計算であることを特徴とする請求項11記載の画像補正効果表示装置。
【請求項１６】
前記レベル数について、補正効果レベルに振り分ける方法が、該画像のRGBに関する数値、あるいは輝度もしくは明度および色差もしくは色相に関する計算値を用いたレベル分けであることを特徴とする請求項12記載の画像補正効果表示装置。
【発明の詳細な説明】
【技術分野】
【０００１】
本発明は画像の自動補正に関するものであり、自動補正の効果を明示的にユーザに知らせる役割を果たす。
【背景技術】
【０００２】
デジタルカメラで撮影された画像をはじめ、近年のデジタル画像の画像処理において、色がぶりの解消や露出の適正化など様々な自動補正処理が存在し、ユーザが手間をかけなくても好ましい写真を得ることが可能となっている。
【０００３】
ユーザがこれら画像処理の効果を知る方法として、プレビュー画面での結果表示などが一般にある。これによって画像処理前、画像処理後の変化をディスプレイ上でみることが可能である。
【０００４】
近年、プリンタの技術進歩によりデジタルカメラ、あるいはデジタルカメラで撮影した画像が収められているメモリーカードなどの記憶媒体をプリンタに接続し、パーソナルコンピュータ(以下PC)などを介さなくとも写真をプリントすることが可能な機械が増えている。一般に、PCを介さなくとも写真をプリントすることをダイレクトプリントと呼ぶ。CIPA(カメラ映像機器工業会) ではデジタルカメラで撮影した画像をダイレクトプリントするための標準規格PictBridge（登録商標）が規格化され、関連企業の多くがそれに対応したデジタルカメラやプリンタを発売するなど、ダイレクトプリントの需要と供給は高まっている。
【０００５】
画像補正において、対象画像を解析して解析結果を表示し、ユーザにパラメータを入力させるというユーザーインターフェースは、すでに知られている。たとえば、特開平１０−２３３９３４号公報に記載された画像処理手法では、カラー画像について、処理対象画像の色の属性（明度、彩度、色相）を解析し、対話型で調整する。たとえば明度情報を解析し、解析結果を明度のヒストグラムで表示する。これに対応して、オペレータは、グラフィック表示を見て、明度の増減を指示する。これに対応して、指示されたパラメータで補正処理を行う。たとえば、ヒストグラムを伸長する。こうして、解析結果に応じて画像を調整する。
【０００６】
また、特開２００１−１６４６９号公報ではデジタル画像を解析して画像の特徴を求め、求められた画像の特徴と補正パラメータやプレビューを画面に表示して、ユーザに画像補正をアドバイスするという技術もある。
【特許文献１】特開平１０−２３３９３４号公報
【特許文献２】特開２００１−１６４６９号公報
【発明の開示】
【発明が解決しようとする課題】
【０００７】
色がぶりの解消や露出の適正化などの画像補正は、ダイレクトプリントについてもPCを介した場合と同様の補正効果があり、ユーザからの要望も多い。ところが、ダイレクトプリントはPCを介さないため、プレビューで補正を確認できるほどの大きなディスプレイを確保することが難しい。そのため、前途したプレビュー画面による画像処理前と後の比較での効果の違いを見ることは困難である。よって、ダイレクトプリントでは補正項目を選択するだけ、もしくは選択せずとも強制的に自動補正を行うことが多い。自動補正ではユーザが細かい数値を入力したり、トーンカーブを調節したりしなくても色かぶりの解消や露出の適正化などの補正を自動で行い、印刷する上で好ましい画像となる。
【０００８】
上記のようにプレビューを見なくとも好ましい画像にしてくれる自動補正であるが、色かぶりの解消や露出の適正化などの画像処理は、色かぶりをしていない、露出が適正である、などもともと補正する必要のない画像に関しては処理を行ってもあまり効果はない。従来のダイレクトプリントではこれらの処理の結果は補正をしたものと補正をしていないものを実際にプリントし、見比べなければわからなかった。また、ユーザが撮影した画像がどれくらい補正を加えなければならない画像であるのか、元画像とどれくらい変化して印刷されるのかもわからなかった。
【課題を解決するための手段】
【０００９】
上記課題を解決するために本発明では、
画像データ入力工程と該画像を自動補正する工程と該自動補正された画像を印刷する工程を有し、該自動補正の効果を印刷装置または撮影装置に接続もしくは装備されている表示画面に数値またはグラフまたは補正レベルで表示することを特徴とする画像補正効果表示方法および装置および記録媒体を有する。
【発明の効果】
【００１０】
以上で述べたようにダイレクトプリントの画像自動補正について、本発明によればプレビューのように補正前後の画像そのものを表示するスペースを確保することが困難でも、実際に印刷する前に自動補正処理の効果を確認することができる。尚、上記の実施形態は本発明の実施例であり、本発明を制限するものではない。
【発明を実施するための最良の形態】
【００１１】
以下に図面を参照して本発明における実施形態の一例を説明する。
【００１２】
（実施形態１）
本実施形態ではインクジェットプリンタを用い、PCを介さずにダイレクトプリントを行う。図3に示す301はプリンタ本体であり、302はプリンタに装備されているビューアである。ビューアは印刷する画像や使用する画像補正、印刷用紙や印刷品位などを選択する際に使用する。303はデジタルカメラで撮影された画像などを収納した記憶媒体を差し込む記憶媒体挿入口であり、ここからPCを介さずとも印刷する画像データをプリンタへ渡すことができる。305は印刷用紙であり、306は画像が印刷された印刷物である。307はデジタルカメラであり、304はデジタルカメラ307とプリンタ301をつなぎ、データを伝達するケーブルである。尚、304および307は本実施形態では使用しないが、これらのようにプリンタとデジタルカメラをつなぎ、PCを介さなくとも直接プリントすることも可能である。
【００１３】
次に、本実施形態のダイレクトプリントの基本的な構成を説明する。図1はダイレクトプリントの構成を表した図である。印刷設定部101では印刷する画像、印刷品位、印刷用紙、色かぶり補正や露出の適正化などの自動補正処理のオン、オフなどをユーザに設定させる。画像選択の際には画像データ読み取り部102で図3の記憶媒体挿入口に挿入された記憶媒体より印刷画像が読み出される。画像補正部103では色かぶり補正や露出の適正化などの自動補正を行う。画像処理部104では、画像補正部で補正された画像、もしくは読み取られたデータそのものをプリンタ固有の信号値にする。印刷部105では、画像処理部104より出力されたプリンタ固有の信号に従って印刷用紙に印刷を行う。
【００１４】
図2は、本発明の実施形態における印刷装置の流れを示すブロック図である。
【００１５】
以下では、本実施形態のダイレクトプリントの基本的なフローを説明する。記憶媒体はデジタルカメラで撮影した画像データを保持しており、ユーザはこれを図3の記憶媒体挿入口303に差込む。次にユーザは印刷する画像、印刷品位、印刷用紙、色かぶり補正や露出の適正化などの自動補正処理のオン、オフなどを選択する(S201)。このとき前記記憶媒体より画像データは読み取られる(S202)。次にS201で設定された色かぶり補正や露出の適正化などの自動補正を行う(S203)。この際、ユーザがS201で補正を行わない設定にしていた場合はこの工程は行われず、次の工程に移る。尚、色かぶり補正については例えば特登録03492202や 特開２０００−１３６２５などに事例が示されており、露出の適正化については 特開２０００−１３４４６７や 特開２００３−３３９０５７などに事例が示されている。次に画像はプリンタ固有の信号に変換される。例えば、レッド(R)、グリーン(G)、ブルー(B)の3要素がそれぞれ0〜255の整数データで構成されるビットマップ形式画像の場合、インクジェットプリンタ固有のシアン(C)、マゼンタ(M)、イエロー(Y)、ブラック(BK)、淡シアン(lc)、淡マゼンタ(lm)の信号に変換される。次に印刷の工程へ進み、公知の方法で印刷用紙に印刷が行われる(S205)。
【００１６】
次に、本願の特徴である画像補正部の表示について説明する。画像補正工程S203では印刷設定工程S201でユーザに選択された画像自動補正を行う。処理を行った後、ユーザに補正結果を通知する。図4は補正結果を表す一例である。401は図3のプリンタに装備されているビューア302 を表し、402はその画面部分である。403はS201でユーザが設定した自動補正処理のオン、オフの状況が画面に出力される。404では補正前の画像と補正後の画像の差分を補正効果として出力される。詳しくは、画像の格画素のR、G、B各要素について補正前、補正後の差を絶対値として求め、平均した値を表示する。ユーザはこの数値が大きければ補正前と補正後の違いが大きいと認識することができ、小さければ補正前後であまり変わらない画像であると認識することができる。
【００１７】
（実施形態２）
本実施形態では実施形態1に同じく、インクジェットプリンタを用い、PCを介さずにダイレクトプリントを行う。尚、本実施形態の装置、フローは実施形態1と同様なので省略し、本願の特徴である画像補正部の表示について説明する。
【００１８】
画像補正工程S203では印刷設定工程S201でユーザに選択された画像自動補正を行う。処理を行った後、ユーザに補正結果を通知する。図5は補正結果を表す一例である。501は図3のプリンタに装備されているビューア302 を表し、502はその画面部分である。503はS201でユーザが設定した自動補正処理のオン、オフの状況が画面に出力される。504では補正前の画像と補正後の画像の差分を補正効果として出力される。詳しくは、画像の格画素について輝度を求め、その輝度の出現数を保持する。要するに、輝度に関するヒストグラムを作成する。輝度Yの求め方はRGB格0〜255の信号に対して
Y = 0.3R × 0.6G × 0.1B
の式で求められる。作成されたヒストグラムより、画像データ中の輝度の使用領域をグラフで表す(504)。この表示方法は補正前後の輝度の変化がわかるため、主に露出の適正化や逆光補正などに特に有効である。本実施例についても、ユーザはこのグラフの変化が大きければ補正前と補正後の違いが大きいと認識することができ、小さければ補正前後であまり変わらない画像であると認識することができる。
【００１９】
（実施形態３）
本実施形態では実施形態1、2に同じく、インクジェットプリンタを用い、PCを介さずにダイレクトプリントを行う。尚、本実施形態の装置、フローは実施形態1、2と同様なので省略し、本願の特徴である画像補正部の表示について説明する。
【００２０】
画像補正工程S203では印刷設定工程S201でユーザに選択された画像自動補正を行う。処理を行った後、ユーザに補正結果を通知する。図6は補正結果を表す一例である。601は図3のプリンタに装備されているビューア302 を表し、602はその画面部分である。603はS201でユーザが設定した自動補正処理のオン、オフの状況が画面に出力される。604では補正前の画像と補正後の画像の差分を補正効果として出力される。詳しくは、補正効果レベルとしてレベル1(補正効果なし)〜レベル5(補正効果最大)などの 5段階のレベル分けをする。そして、実施形態1と同様に補正前後で格画素のRGBの差の絶対値を平均する。予め数値によって補正レベルを定めておき、先に求めた数値がどのレベルに該当するかを求め、604のように表示を行う。この表示方法はヒストグラムや輝度、RGBなどの知識がないユーザでも補正の効果がわかりやすい。補正レベルが高ければ補正効果が大きいと認識することができ、低ければ補正前後であまり変わらない画像であると認識することができる。
【００２１】
(実施形態4)
実施形態1、2、3について、プリンタに画像データが収められた記憶媒体を装着し、ダイレクトプリントを行ったが、本実施例では図3のデータ転送ケーブル304を用いてデジタルカメラ307とプリンタ301をつないでダイレクトプリントを行うこともできる。この際、印刷設定や画像選択、補正の選択などはデジタルカメラで行われるが、他は実施形態2と同じなので詳細は省略する。
【００２２】
(実施形態5)
実施形態4について、デジタルカメラとプリンタを接続してダイレクトプリントを行ったが、複写機でコピーを行う際も画像を補正するときには同様の処理を行うことにより、同様の効果を得ることが可能である。
【図面の簡単な説明】
【００２３】
【図１】本発明の実施形態における印刷装置の機能を示すブロック図
【図２】本発明の実施形態における印刷装置の流れを示すブロック図
【図３】本発明の実施形態におけるダイレクトプリント可能な印刷装置の図
【図４】本発明の実施形態1における補正効果表示画面の図
【図５】本発明の実施形態2における補正効果表示画面の図
【図６】本発明の実施形態3における補正効果表示画面の図
【符号の説明】
【００２４】
101  印刷設定指定部
102  画像データ読み取り部
103  画像補正部
104  画像処理部
105  印刷部
201  印刷設定工程
202  画像データ読み取り工程
203  画像補正工程
204  画像処理工程
205  印刷工程
301  ダイレクトプリント可能なプリンタ本体
302  ビューア
303  記憶媒体挿入口
304  データ転送用ケーブル
305  印刷用紙
306  印刷物
307  デジタルカメラ
401  ビューア
402  ビューア画面
403  補正設定表示部
404  補正効果表示部
501  ビューア
502  ビューア画面
503  補正設定表示部
504  補正効果表示部
601  ビューア
602  ビューア画面
603  補正設定表示部
604  補正効果表示部
【図１】
2009038583.tif 000003
【図２】
2009038583.tif 000004
【図３】
2009038583.tif 000005
【図４】
2009038583.tif 000006
【図５】
2009038583.tif 000007
【図６】
2009038583.tif 000008